(57)【特許請求の範囲】
【請求項１】
中電圧又は低電圧レベル用変圧器（１０）と、中電圧用セル（９）と、低電圧用パネル（１７）と、遠隔操作用パネル（１８）とを内部に収容するための特殊な都市型変電センターであって、
外側に電話機室（１２，１２’）のような外部筐体を含み、
内部に、地中の掘削部に収まるコンクリート製基部（１）上に、垂直な状態で配置され、多角形の形状を採用した金属薄板及びビニル・エステル（２）で作られる内部キャビネットを収容し、
前記コンクリート製基部（１）は、前記内部キャビネットを該コンクリート製基部（１）に固定するためのボルト（３）を備え、
前記内部キャビネットは、前記外部筐体と、位置決めするための４つの吊り上げボルト（４）を有する上部で覆われる部屋であって、前記変圧器（１０）、中電圧用セル（９）、低電圧用パネル（１７）、および、遠隔操作用パネル（１８）を収容する部屋とを含んでなる構造体全体を支持するために用いられる特殊な都市型変電センター。
【請求項２】
外部におけるフラットテーブル空間（１５）の下に、これらの基部（５）であって地表面で前記低電圧用パネル及び前記遠隔操作用パネルを収容するために用いられるクローゼット（１７，１８）と、ステンレス鋼で作られ、水平段差及び垂直段差のある状態で外部筐体と重なり、外部構造体を地表と同じ高さにするための基部（５）と、をその下方空間に含み、
ステンレス鋼で作られ、横桁で補強された内部／外部の骨組みと、基部（５）及びフッド（６）の間に位置する４本の柱（２０）とがあり、
天頂部を覆うために、ポリエステルで作られ、ガラス繊維で補強され、楕円形状の球形スカルキャップ形態を採用したフッド（６）があり、
側部又は最も広い側面（図３を参照）において、透明なポリカーボネート製窓を持ち、
垂直な都市型広告ポスターの配置を可能にする特徴を備えた引戸（７）及び（７’）が装備され、
前記引戸は、開いている場合、前記中電圧用セル（９）を含む部屋に到達するように前記内部キャビネットのドア（８）に、及び前記変圧器（１０）を含む部屋に到達するようにドア（８’）に接近できることを特徴とする請求項１記載の特殊な都市型変電センター。
【請求項３】
広告媒体を支持する複数のドアを備え、該ドアには、照明（１１）及び（１１’）のための部品、ならびに、該ドアの中の広告媒体を改装するための開放機構が設置されていることを特徴とする請求項１または２に記載の特殊な都市型変電センター。
【請求項４】
前記特殊な都市型変電センターの本体において、狭い幅の側部からなる残りの側部には、天頂部の照明（１３）及び（１３’）によって照明され、通常の高さ及びそれより低い高さに位置する二つの電話機室（１２）及び（１２’）が組み込まれており、
マルチメディア案内所を構築する目的で、アンチバンダリックコンピュータタッチスクリーン（１４）を電話機室（１２’）に取り付ける選択肢を有し、
この下側に、一般大衆の利用者を助けて支援し、ドア（１６）及び（１６’）並びに低電圧用パネル（１７）及び遠隔操作用パネル（１８）に対し蓋をし、不正な進入を妨げる他に、加えて、その装置の内側を冷却するための通風用金網を隠し、前記複数のドアにおける広告媒体により覆われるように、二つのプラットフォーム（１５）及び（１５’）を有し、
遠隔操作用パネルの下に、ケーブル（１９）とケーブルガイドとを入れるための二つの中電圧ケースを有することを特徴とする請求項１乃至３のいずれかに記載の特殊な都市型変電センター。
【請求項５】
前記変圧器により生じた熱を、煙突のように機能する前記４つの柱（２０）を通じて外部に排出し、
前記熱は、前記内部クローゼットから下部（特に、前部の前面）（２１）に位置する金網を通じて放出され、
前記内部キャビネット（２２）の上部においては、天頂閉鎖部（２３）の下方部分に設けられたドリル孔を通じて外部に運ばれ、大気温度で空気が、広告媒体を支持するのに用いられる前記ドアの下方部分に配置された下の方の境にある入口（２４）を通して流入し、新しくされることを特徴とする請求項１乃至４のいずれかに記載の特殊な都市型変電センター。
【発明の詳細な説明】
【技術分野】
【０００１】
本発明は、電気通信用機械、機械部品、及び補助部品の製造が専門の産業部門や、電気エネルギの配電及び変電が専門の会社、並びに、広告会社において適用されることが意図される。
【背景技術】
【０００２】
出願人が知る限り、本明細書に記載される特徴に沿って構成され、同時に、身体的にハンディキャップのある人々に適した領域に設けられ、代替技術として、彼らが用いるのに適した電話機の代わりに、マルチメディア案内所として構成するためのアンチバンダリックコンピュータタッチスクリーン(ａｎｔｉｖａｎｄａｌｉｃ  ｃｏｍｐｕｔｅｒ  ｔｏｕｃｈ  ｓｃｒｅｅｎ)をもつ２つの電話機室の構成と同様な構成を提供する外部ハウジングをもたらす既存の都市型変電センターはない。
【発明の開示】
【発明が解決しようとする課題】
【０００３】
本明細書は、特殊な都市型変電センターに関し、ちょうどクローゼットのような内部が、変圧器、変圧器用セル、低電圧用パネル、及び遠隔操作用パネルで構成された変電所のすべての構成要素を収容するために用いることができキャビネットとして構成されることが目的であり、電話機、及び／又は、アンチバンダリックコンピュータタッチスクリーンのための２つの空間をもつ電話機室のように構成される外部ハウジング内に構成され、マルチメディア情報センターとして用いられ、多目的の発明をもたらす。
【課題を解決するための手段】
【０００４】
本発明において提案される特殊な都市型変電センターは、その適用分野において明らかに新規なものであり、内部クローゼットを含む多機能構造と、同時に多目的構造とを組み込んだ頑丈な構造とを提供するものであり、都市街路備品の中に溶け込む可能性があり、小型化及び標準的な広告のための空間を備え得る可能性があるものである。
【０００５】
より詳細には、本発明の目的である特殊な都市型変電センターは、垂直な本体を基礎にして造られており、その上部に、繊維ガラスで補強されたポリエステル製の屋根を有し、この屋根は、明示的に楕円形の形状で、球状のスカルキャップ形態を採用する天頂用閉鎖部をもたらすように意図される。
【０００６】
特殊な都市型変電センターの基本となる本体の主要な側部において、本発明は、垂直な都市型広告媒体の組み込みを可能にするために、標準的なサイズの透明なポリカーボネート製窓をもつ引戸が装備されている。摺動して開くドアの１つに対応する領域においては、本発明は、中に収容された内部キャビネットのドアを完全に開く可能性を有している。
【０００７】
キャビネットの内部を照明するように機能する部品は、上述の引戸の内側に配置されており、これらのドアの内側は、広告媒体を改装することにも適している。
【０００８】
最も狭い側部に配置される電話機は、天頂光により照明され、該電話機は、片側においては標準的な高さに取り付けられ、その反対側においては、身体的にハンディキャップのある人々が使用することを可能にする高さに、ここには代替的に、公共案内所として構成する目的で、アンチバンダリックコンピュータタッチスクリーンが装備され得る。これら両方の電話機の下には、一般大衆の利用者により支持体として用いられるとともに、電力計をもつ低電圧用パネル及び遠隔操作用パネルと、４本の柱のための基部とを保持する空間に接近可能なドアに対する防御として機能するフラットテーブル空間がある。
【０００９】
本発明は、内部キャビネットと呼ばれ、柱状形を有し、鋼及びビニル・エステル製の二重壁と、コンクリート製の床の上にしっかりと置かれる金属製構造体とにより形成されている。
【００１０】
変圧器で構成された、中電圧まで／又は低電圧の変圧器センターを内部に保持する本発明は、上述の変圧器が、流出する可能性のある油のために内部空間を確保することを目的とし、基部（地面の下に配置される）より高い位置に配置され、上述の変圧器は、取り付け行程の最後にその変圧器の上蓋が地面に位置するといった方法で配置されたレールとして用いられる２つの「Ｕ」字形状ビーム上に置かれるという固有の特徴を有する。
【００１１】
上述の変圧器の上に載っている中電圧用開閉装置は、中電圧用ケーブルの２つの入口と変圧器の保護出口との間にある分離部と重なる２つのトランスバースバーをもつ４つの長方形の角部により支持されている。
【００１２】
内部クローゼットは、その上部が、変圧器から生じた熱を部分的に排出する、幾つかの吊り上げボルトを組み込んだグリルにより閉鎖される。
【００１３】
本発明の側部の一方においては、中電圧開閉装置の正面領域を検査し、そこで操作するために用いることができるドアと、中電圧ケーブルを接続し、オフサーキットタップ切換え器、及び電圧開閉盤を変更し、水平状態を監視し、及び変圧器の温度をチェックするのに用いられる別の開口部とを有する。変圧器により生じた熱は、煙突のように機能する４本の柱を通して外部に排出される。この熱は、下部（特に、前部の前面）に位置するグリルを通じて内部クローゼットから放出され、内部キャビネットの上部においては、フッドの下方部分に設けられたドリル孔を通して外部に運ばれ、大気温度で、広告媒体を支持するのに用いられるドアの下部に配置された下方の周辺入口を通して空気を流入し取替える。
【００１４】
要約すると、本発明は、所有者から電話会社、市民及び通行人まで異なる場合がある複数の利用者、並びに、広告媒体区画に唯一アクセスできる広告会社により使用され得る。
【発明を実施するための最良の形態】
【００１５】
この説明を完成させるため、及び本発明の特性をより良く理解するのを助ける目的のために、この説明には、それ自体の統合された部分として、例示的な符号をもつ一組の図面が添付されるが、これらの図面の表現に限定されるものではない。
【００１６】
これらの図を検討すると、図面番号１においては、基部に垂直に立てられる内部キャビネットが、地中の掘削部に収まるコンクリート製基部（１）上にどのように置かれるかを見ることができ、内部キャビネットは、多角形の形状を採用した金属薄板及びビニル・エステル（２）で作られ、そのコンクリート製基部上に載って、その上部を閉じる構造体全体を支持するように設計され、その基部から出ている該コンクリート製基部に固定するためのボルト（３）と、換気グリル及び配置するための吊り上げボルト（４）とを備えている。
【００１７】
図面番号２は、地表面上において、及び、外部構造体を地面と同じ高さにするために、ステンレス鋼で作られ、水平段差及び垂直段差のある状態で外部筐体と重なる基部（５）があることを示す。本発明は、ステンレス鋼で作られ、横桁で補強された内部／外部骨組みと、並びに、基部とフッドとの間に位置する４本の柱（２０）とを含み、天頂部を閉鎖するために、ポリエステルで作られ、ガラス繊維で補強された屋根（６）があり、その屋根は、楕円形状の球状スカルキャップ形態を採用している。
【００１８】
最も広い側面をもつ側部（図面番号３を参照）には、透明なポリカーボネート製窓をもち、垂直な都市型広告ポスターの配置を可能にする特有な特徴を備えており、引戸（７）及び（７’）が装備され、また、これが開いている場合には、中電圧セル（９）を含む部屋に到達するように内部キャビネットのドア（８）に、及び、変圧器（１０）を含む部屋に到達するようにドア（８’）に接近することが可能になる。
【００１９】
広告媒体、ならびに広告媒体を改装するための開放機構を含むドアの内側には、適当な内部照明（１１）及び（１１’）が設置されている。
【００２０】
特殊な都市型変電センターの本体の他の２つの残りの面には（図４、図５、図６及び図７を参照）、ドアが備えられず、２つの電話機室（１２）及び（１２’）が据え付けられており、電話機室は、通常の高さ及びこれより低い高さに位置し、天頂光（１３）及び（１３’）により照明される。本発明は、マルチメディア案内所を構築する目的で、アンチバンダリックコンピュータタッチスクリーン（１４）を（１２’）に取り付ける選択肢を含む。これらの下方には、一般大衆の利用者を助けてサポートするように、プラットフォーム（１５）及び（１５’）が位置しており、ドア（１６）及び（１６’）並びに低電圧用パネル（１７）及び遠隔操作用パネル（１８）のために保護し役立つ。遠隔操作用パネルの下部においては、ケーブルとケーブルガイドを入れるための２つの中電圧ケース（１９）が位置する。
【００２１】
図面番号８及び図面番号９においては、変圧器により生じた熱が、煙突のように機能する４つの柱（２０）を通して排出され、この熱が、内部クローゼットから下部（特に、前部の前面）（２１）に位置するグリル（金網）を通して放出され、キャビネット（２２）の上部においては、天頂閉鎖部（２３）の下方に設けられたドリル孔を通じて外部に運ばれ、大気温度で空気が、広告媒体を支持するのに用いられるドアの下方部分に配置された下方の周辺入口（２４）を通じて流入し、新しくされることを示す。
【００２２】
図面番号１０は、地表面から出ている特殊な都市型変電センターの審美的な形態を示す。
【００２３】
要約すると、本発明の特殊な都市型変電センターは、限られた空間の中に、２つの電話機室或いは電話機室及びタッチスクリーンのいずれかと、標準的なサイズの広告媒体のための２つの照明された空間と、電気エネルギのための変圧器センターをもつ内部キャビネットのためのハウジングと、低電圧用パネルと、遠隔操作用パネルとを収容する。
【図面の簡単な説明】
【００２４】
【図１】特殊な都市型変電センターの内部キャビネットについて、発明された物体の側面図を示す。
【図２】特殊な都市型変電センターの外側ハウジングについて、発明された物体の側面図を示す。
【図３】ドアが開いた状態の特殊な都市型変電センターの外側ハウジングについて、発明された物体の側面図を示す。
【図４】標準的なレベルに１つの電話機が取り付けられた、特殊な都市型変電センターについて発明された物体の側面図を示す。
【図５】身体的にハンディキャップのある人々が用いるように適応された高さに装備され１つの電話機を備える特殊な都市型変電センターについて発明された物体の側面図を示す。
【図６】公共用マルチメディア情報センターとして用いられるように、図５の代替技術として、アンチバンダリックコンピュータタッチスクリーンをもつ、特殊な都市型変電センターについて発明された物体の側面図を示す。
【図７】ドア、屋根、及び電話機室の照明を備えた特殊な都市型変電センターについて発明された物体の平面図を示す。
【図８】特殊な都市型変電センターのフッドの下部における熱を排出するための孔について発明された物体の平面図を示す。
【図９】特殊な都市型変電センターについて、熱の排出方法の根拠となる断面について、図８の側面図を示す。
【図１０】本発明の審美的な部分を示す、特殊な都市型変電センターの斜視図を示す。
【図１】
0004598532.tif 000002
【図２】
0004598532.tif 000003
【図３】
0004598532.tif 000004
【図４】
0004598532.tif 000005
【図５】
0004598532.tif 000006
【図６】
0004598532.tif 000007
【図７】
0004598532.tif 000008
【図８】
0004598532.tif 000009
【図９】
0004598532.tif 000010
【図１０】
0004598532.tif 000011